(57)【要約】【課題】蓋体の着脱を容易にするとともに、蓋体の不用意な脱落を防止し、さらに、装着時に裏向きになりにくくすることができる蚊取り線香容器を提供すること。【解決手段】蚊取り線香容器の周壁を支持するとともに、容器本体１と蓋体３とを外側から挟み固定するばね性の係止部材４を着脱可能に設け、係止部材４の蓋体側部分４１を延設して中央付近の排煙孔３３に係止するとともに、係止部材４の容器本体側部分４２を対向側の周壁まで延設して吊り下げ部４３を設ける。【選択図】図１
0003132380.tif 000002
【実用新案登録請求の範囲】
【請求項１】
上面に開口部を有する皿状の容器本体と、複数の排煙孔を備え、前記容器本体の開口部に嵌着される蓋体とを備えた蚊取り線香容器において、蚊取り線香容器の周壁を支持するとともに、容器本体と蓋体とを外側から挟み固定するばね性の係止部材を着脱可能に設け、該係止部材の蓋体側部分を延設して中央付近の排煙孔に係止するとともに、該係止部材の容器本体側部分を対向側の周壁まで延設して吊り下げ部を設けたことを特徴とする蚊取り線香容器。
【請求項２】
係止部材が蚊取り線香容器の周壁を２点で支持することを特徴とする請求項１記載の蚊取り線香容器。
【考案の詳細な説明】
【技術分野】
【０００１】
本考案は、火をつけた状態の蚊取り線香を収容する蚊取り線香用容器に関し、特に、蓋体の着脱を容易にするとともに、蓋体の不用意な脱落を防止し、さらに、装着時に裏向きになりにくくすることができる蚊取り線香容器に関するものである。
【背景技術】
【０００２】
火をつけた状態の蚊取り線香を収容する蚊取り線香用容器は従来から周知であり、例えば、屋外作業時にベルトに装着し、携帯用の虫除け器として使用されている。
このような蚊取り線香容器は、例えば、上面に開口部を有する皿状の金属製の容器本体と、該容器本体内に設けられたネット等からなる蚊取り線香支持部と、前記容器本体の開口部に嵌着される金属製の蓋体とを備えている。
【０００３】
そして、この蚊取り線香用容器を使用する際には、火をつけた蚊取り線香を蚊取り線香支持部に載置した後、容器本体に蓋体を嵌着して開口部を閉止する。これにより、蚊取り線香から発生する煙は、蚊取り線香の上方に設置された蓋体の排煙孔を介して外部に拡散する。
【０００４】
ところで、上記従来の蚊取り線香用容器では、容器本体の周壁に設けた周溝に、蓋体の周壁に設けた凸部を嵌合させることにより両者を固定しているが、錆が発生すると蓋体の着脱が困難になったり、また、使用時に不用意に蓋体が脱落したりするという問題があった。
また、従来の蚊取り線香用容器では、容器本体の周壁に吊り下げ部が設けられていることから、ベルトに装着して動いたときに蚊取り線香容器が回転しやすく、これにより、蚊取り線香容器が裏向きになりやすいという問題を有している。
【考案の開示】
【考案が解決しようとする課題】
【０００５】
本考案は、上記従来の蚊取り線香容器が有する問題点に鑑み、蓋体の着脱を容易にするとともに、蓋体の不用意な脱落を防止し、さらに、装着時に裏向きになりにくくすることができる蚊取り線香容器を提供することを目的とする。
【課題を解決するための手段】
【０００６】
上記目的を達成するため、本考案の蚊取り線香容器は、上面に開口部を有する皿状の容器本体と、複数の排煙孔を備え、前記容器本体の開口部に嵌着される蓋体とを備えた蚊取り線香容器において、蚊取り線香容器の周壁を支持するとともに、容器本体と蓋体とを外側から挟み固定するばね性の係止部材を着脱可能に設け、該係止部材の蓋体側部分を延設して中央付近の排煙孔に係止するとともに、該係止部材の容器本体側部分を対向側の周壁まで延設して吊り下げ部を設けたことを特徴とする。
【０００７】
この場合において、係止部材が蚊取り線香容器の周壁を２点で支持するようにすることができる。
【考案の効果】
【０００８】
本考案の蚊取り線香容器によれば、上面に開口部を有する皿状の容器本体と、複数の排煙孔を備え、前記容器本体の開口部に嵌着される蓋体とを備えた蚊取り線香容器において、蚊取り線香容器の周壁を支持するとともに、容器本体と蓋体とを外側から挟み固定するばね性の係止部材を着脱可能に設け、該係止部材の蓋体側部分を延設して中央付近の排煙孔に係止するとともに、該係止部材の容器本体側部分を対向側の周壁まで延設して吊り下げ部を設けることから、係止部材が容器本体と蓋体を外側から挟んで固定することにより、蓋体の着脱を容易にするとともに、蓋体の不用意な脱落を防止することができ、さらに、係止部材が周壁を支持した状態で排煙孔に係止することから、係止部材が外れることなく蚊取り線香容器を安定した状態で吊り下げることができる。
そして、係止部材の容器本体側部分を対向側の周壁まで延設して吊り下げ部を設けることから、吊り下げ部が蚊取り線香容器の背面より後に偏倚して形成されることになり、これにより、蚊取り線香容器を回転しにくくし、ベルトに装着して動いたときでも裏向きになりにくくすることができる。
【０００９】
また、係止部材が蚊取り線香容器の周壁を２点で支持することにより、蚊取り線香容器をさらに安定した状態で吊り下げることができる。
【考案を実施するための最良の形態】
【００１０】
以下、本考案の蚊取り線香容器の実施の形態を、図面に基づいて説明する。
【実施例１】
【００１１】
図１〜図４に、本考案の蚊取り線香容器の一実施例を示す。
この蚊取り線香容器は、上面に開口部を有する皿状の容器本体１と、容器本体１内に設けられた蚊取り線香支持部２と、複数の排煙孔３３を備え、前記容器本体１の開口部に嵌着される蓋体３とを備え、火をつけた状態の蚊取り線香（図示省略）を収容するようになっている。
【００１２】
そして、本実施例の蚊取り線香容器では、蚊取り線香容器の周壁を支持するとともに、容器本体１と蓋体３とを外側から挟み固定するばね性の係止部材４を着脱可能に設け、該係止部材４の蓋体側部分４１を延設して中央付近の排煙孔３３に係止するとともに、該係止部材４の容器本体側部分４２を対向側の周壁まで延設して吊り下げ部４３を設けている。
【００１３】
容器本体１は、金属製で、図３〜図４に示すように、収容すべき蚊取り線香の外形より大きな内径を有する筒状の周壁１１と、この周壁１１に連続する底部１２とを有している。
周壁１１の上端は、内側に巻き締めて、巻締部１３として形成されている。
【００１４】
蚊取り線香支持部２は、図３〜図４に示すように、容器本体１に内挿される金属製の内筒２１と、該内筒２１のフランジ部２４に固定された不燃材料からなるネット２２と、不燃材料で成型した断熱部材５とからなり、内筒２１は、その上端に形成した巻締部２３が容器本体１の上端に形成した巻締部１３の上に掛止される。
【００１５】
蓋体３は、金属製で、図３〜図４に示すように、容器本体１の周壁１１の外径より若干大きい内径を有する筒状の周壁３１と、この周壁３１に連続する上壁３２とを有し、容器本体１の周壁１１に摺接する状態で外嵌されている。
この蓋体３の上壁３２には、蚊取り線香から発生する煙を拡散するための排煙孔３３が形成されている。
なお、蓋体３は、容器本体１の内側に挿着されるようにすることも可能である。
【００１６】
断熱部材５は、周縁部５１を、内筒２１のフランジ部２４と容器本体１の底部１２との間に形成された空間部と略同じ高さに形成するとともに、蚊取り線香を収容できるように、中央部５２をやや低く形成した皿状を呈している。
この場合、蚊取り線香を収容するためにやや低く形成した断熱部材５の中央部５２の直径を、蚊取り線香支持部２を構成する不燃材料からなるネット２２を固定する内筒２１のフランジ部２４の孔の内径よりも小さく形成することにより、着火した蚊取り線香が内筒２１のフランジ部２４に接触して蚊取り線香が立ち消えすることを防止するようにしている。
また、容器本体１の上端に形成した巻締部１３によって、容器本体１の周壁１１と内筒２１の間に空間（空気層）を形成するようにして断熱を行い、蚊取り線香容器の発熱を防止できるようにしている。
【００１７】
一方、係止部材４は、ばね性を有する金属線を樹脂コーティングしたものからなり、図１〜図２に示すように、略三角形の枠状に組んだ金属線をコ字状に折曲している。
これにより、蚊取り線香容器の周壁を２点で支持するとともに、容器本体１と蓋体３とを外側から挟み固定するようにしている。
係止部材４の蓋体側部分４１は、蓋体３の中央付近まで延設されており、先端部に形成した突部４４を、蓋体中央にやや大きめに形成した排煙孔３３ａに係止している。
また、係止部材４の容器本体側部分４２は、対向側の周壁１１まで延設されており、さらに外周側に突出するように環状の吊り下げ部４３を形成している。吊り下げ部４３には、ベルト等に取り付けるスナップ４５が付設されている。
【００１８】
かくして、本実施例の蚊取り線香容器は、上面に開口部を有する皿状の容器本体１と、複数の排煙孔３３を備え、前記容器本体１の開口部に嵌着される蓋体３とを備えた蚊取り線香容器において、蚊取り線香容器の周壁を支持するとともに、容器本体１と蓋体３とを外側から挟み固定するばね性の係止部材４を着脱可能に設け、該係止部材４の蓋体側部分４１を延設して中央付近の排煙孔３３に係止するとともに、該係止部材４の容器本体側部分４２を対向側の周壁まで延設して吊り下げ部４３を設けることから、係止部材４が容器本体１と蓋体３を外側から挟んで固定することにより、蓋体３の着脱を容易にするとともに、蓋体３の不用意な脱落を防止することができ、さらに、係止部材４が周壁を支持した状態で排煙孔３３に係止することから、係止部材４が外れることなく蚊取り線香容器を安定した状態で吊り下げることができる。
そして、係止部材４の容器本体側部分４２を対向側の周壁まで延設して吊り下げ部４３を設けることから、吊り下げ部４３が蚊取り線香容器の背面より後に偏倚して形成されることになり、これにより、蚊取り線香容器を回転しにくくし、ベルトに装着して動いたときでも裏向きになりにくくすることができる。
【００１９】
また、係止部材４が蚊取り線香容器の周壁を２点で支持することにより、蚊取り線香容器をさらに安定した状態で吊り下げることができる。
【００２０】
以上、本考案の蚊取り線香容器について、その実施例に基づいて説明したが、本考案は上記実施例に記載した構成に限定されるものではなく、その趣旨を逸脱しない範囲において適宜その構成を変更することができる。
【産業上の利用可能性】
【００２１】
本考案の蚊取り線香容器は、蓋体の着脱を容易にするとともに、蓋体の着脱を容易にするとともに、蓋体の不用意な脱落を防止し、さらに、装着時に裏向きになりにくくするという特性を有していることから、例えば、屋外で使用する携帯用の蚊取り線香容器として広く好適に用いることができる。
【図面の簡単な説明】
【００２２】
【図１】本考案の蚊取り線香容器の一実施例を示し、（ａ）はその正面図、（ｂ）は同一部断面側面図である。
【図２】同蚊取り線香容器の係止部材を示し、（ａ）はその斜視図、（ｂ）は同背面図、（ｃ）は同側面図である。
【図３】同蚊取り線香容器の容器を示す分解斜視図である。
【図４】同容器を示す断面図である。
【符号の説明】
【００２３】
１    容器本体
１１  周壁
１２  底部
１３  巻締部
２    蚊取り線香支持部
２１  内筒
２２  ネット
２３  巻締部
２４  フランジ部
３    蓋体
３１  周壁
３２  上壁
３３  排煙孔
４    係止部材
４１  蓋体側部分
４２  容器本体側部分
４３  吊り下げ部
４４  突部
４５  スナップ
５    断熱部材
５１  周縁部
５２  中央部
【図１】
0003132380.tif 000003
【図２】
0003132380.tif 000004
【図３】
0003132380.tif 000005
【図４】
0003132380.tif 000006